(57)【要約】【目的】部材のボルト孔に容易に固定して調整でき、一度セツトすれば外れにくい回転式四角ボルトを提供する。【構成】部材１のボルト孔を貫通してネジ部１０を突出させた状態で部材１に固定される。部材１をボルト頭部の底面と狭持するための挟持部１２を軸部に設けることにより、ハンマー等で叩き込むことにより容易に調整することができる。【選択図】図２
2018151055.tif 000002
【特許請求の範囲】
【請求項１】
第１の部材のボルト孔を貫通してネジ部を突出させた状態で該第１の部材に固定され、前記第１の部材と第２の部材をボルト・ナツト接合するための回転式四角ボルトにおいて、前記第１の部材頭部の底面と挟持するための挟持部を前記ネジ部が形成された軸部に設けたことを特徴とする回転式四角ボルト。
【請求項２】
回転式四角ボルトによりピストン本体を上下させて、負荷への物理学的仕事をなすものである。
【請求項３】
回転式四角ボルトにステンレス鋼３０４を使用し、強力な荷重に耐え抜き負荷への効率の良い仕事量をなすものである。何より強い荷重、衝撃に耐えうるものである。
【請求項４】
この四角ボルトは右回転をする遠心力に対して左回りをする左ネジである。遠心力ｒの２乗に比例をし、左ネジであるから決してゆるむ事がないのが特徴とする。
【請求項５】
四角ボルトプラス強化プラスチツクを使用して行なうボルト軸のネジである。軽量化があり、大変じようぶである。
【請求項６】
又、ボルトにゲルマニウムメツキ素材を使用すると電気エネルギーなど、その他の影響が無くて済み超高・低温いきに抜郡のい力を発きするのである。
非常に良い絶録効果がありすぐれた素材である。
【請求項７】
又、ＳｉＣ半導体を各部に使用するとダイアモンドの素材があり大変がんじようであり、高温・低温にすぐれた効果があり期待されるのである。
2018151055.tif 000015
荷による材質物への使用が有効的である。
【請求項８】
自動制御のシーケンス制御を使用し、論理回路であるＡＮＤ、ＯＲ、ＮＯＴ回路を多様化した制御をなし、半導体集積回路をほどこしたコンピューター基板を使用したのである。次から次へと順次に制御が確実に行なわれるのである。
【請求項９】
四角ボルト４つの隅はＳｉｎθ４５°〜１８０°によりなめらかに回転をなし、又ボルト軸の穴にサシ込むサシ金の金具はクギ状のネジさし、幾何学的にＳｉｎ＝０°、Ｓｉｎθ＝１８０°方向からサシ金を押入する
2018151055.tif 000016
ものである。真横に合う様に作られたものである。
このサシ金ネジは完全な磁石により行なうものである。
【発明の詳細な説明】
【発明の詳細な説明】
【産業上の利用分野】
【０００１】本発明はボルトに関し、さらに詳しくは部材に予めセツトされる回転式四角ボルに関するものである。
【背景技術】
【０００２】部材相互をボルト接合する場合、一方の部材が閉断面を形成し、その内部からネジ部突出させてボル  ナツト接合することがある。この場合、従来ボルト頭部閉断面内部に容接するか、あるいは露出したネジ部に止め輪嵌着することによりボルトを固定していた。
【発明が解決しようとする課題】
【０００３】溶接により固定する方法では、製作に手間がかかる上に、荷姿が悪いという問題があった。また止め輪による方法では、セツトするのに手間がかかる。
強い四角ボルトに力が加わると止輪と止め輪が外れるといった問題があった。以上の点に鑑み、本発明はボルト軸穴に容易にセツトでき、一度セツトすれば外れにくい回転式四角ボルトを提供することを課題とする。
【０００４】課題を解決する為の手段  上記課題を解決するために本発明は第１の部材のボルト軸穴を貫通してネジ部を突出させた状態で該第１の部材に固定され、前記第１の部材と第２の部材ボルト・ナツト接合するための調整をするボルトにおいて、前記第１の部材が形成された軸部に設けたことを特徴とする回転式四角ボルトである。
【０００５】作用本発明によれば、ハンマー等で叩き込むことにより容易に調整をする事ができ、固定する事ができる。
半永久的にはずれなくなる。
【０００６】実施例以下、本発明を図面に基づいて詳細に説明する。
［図１］は本発明の回転式四角ボルトの実施例を示す図である。
４、５、６はボルトの弾性素材を示す。１０はボルト軸である。ステンレス鋼ＳＵＳ３０４は溶接性、耐久性にすぐれすべての用途に最適である。
［図２］において、１１はボルト頭部、１０はボルト軸に穴があいたのである。軸部１０に１１の穴により貫通方向に対し円錐型に形成されている。１１の穴と３のナツトの穴の部材厚さが一致するようにするが、技術的な調整ができる間隔でよい。
［図３］は、本発明の他の実施例を示す図であり、四角ボルトが歯車となる１１が荷重１５ｋｇの重量で押し上げられ、１７のクツシヨンプラスチツクに荷重１５ｋｇが物理的に加えられる。これにより１４の強いスプリングにより上に上げられる。
本実施例の挟持部が突起１３が円弧状に形成される。
【０００７】図２は上記回転式四角ボルトを部材１に貫通した状態を示した図である。ハンマー等で叩き込むことにより部材１に固定することができる。そして狭部１２が部材２のボルト孔により係止されることにより、回転式四角ボルトは外れないようにされている。このようにボルトが確実に固定された部材１は部材２と接合され、ナツト３にボルト・ナツト接合される。
１９のモーターから２０の回転受けにより回転式四角ボルトが作動し、円滑な回転運動エネルギーが伝達される。
この時、本発明の回転式四角ボルトは常に左回わりである。
ボルトには、多種多様の特性により右回わりと左回わりがある。
【０００８】発明の効果  以上のように、本発明によれば、ボルトの軸部の周囲に狭持部を設けたため、容易にボルトを部材のボルト孔にセツトすることができ、セツトしたのちには外れにくいという効果を奏する。
電動モーターによる油圧の力で回転式四角ボルトで荷重１５ｋｇの重みでピストン運動させてするものである。
【０００９】回転式四角ボルトはステンレス鋼であり、サビに強く、ダイアモンドのようなかたさである。その上、低温度に耐え、がんじようである。
回転式四角ボルトは左回わりに回転をし、ある一定の回転力があり、力強い物理的な回転があり歯車が左回わりに回転をし、１６が上下にピストン運動を連鎖的に行われる。
第１に左回わりをする本発明の四角ボルトは４すみの角に当たり、部材１５に引かかり、１６が落下し１４のスプリングにより上げられる。
第２に本発明の四角ボルトが左回転をし１５に当たり落下、連鎖反応的に第１、第２とくり返し行われ自然の法則にある物理学的に行われる。
【００１０】１８はピストン運動する時支え軸によりピストン棒が左右にゆれ動くのを阻止する為のものである
瞬時に回転を止める時リセツト機能によりモーターを止める為のスイツチ機能はＡＣ電源をＯＦＦにし又操作をする時にＯＮにする。
モーター電動機には、ろう電防止の為アースを施こす。
２１はベルトで回転エネルギ伝達する為のものである。
５７Ωの抵抗器を使用し、ろう電のアースを施した。
２３はスイツチ回路で始動のＯＮ、ＯＦＦを行う。
【００１１】食料品、工業製品、印刷業、医学用、リハビリテーシヨンでの応用があり、多種多様にわたり使用され続けます。
完成品の使用済み品は台車により搬送され、次の末使用品が来るまでモーターをスイツチをＯＦＦ状態にしてから後にモーターを
2018151055.tif 000003
【００１２】ステンレス鋼の使用により−数百℃のかこくな条件下での応用が非常に多くの需要が約束され、大変強こなしようげきにも耐えられます。
１１、１０、１３、１２、３に対してステンレス鋼を使用でき、必要に応じ効果が期待されます。３のナツトが１３のボルト軸の穴が真横にピツタリ一致しクギ状のサシ金棒を押入する。
【００１３】静電気による悪影響があるのでアース・リセツト機能が必要であり自動制御がなされる。
【００１４】ピストン運動により１８負荷価値を得る為の工程において論理回路ＮＯＴ  ＡＮＤ  ＯＲ  回路を施こして０と１の世界に見られる限りない作動をする。
【００１５】１１のボルト軸の穴に３のナツトが技術的開発のゆるす限り取り行い、横に穴同志が合いサシ金を貫通させるものである。
【００１６】４，５，６はステンレス鋼の持つ弾性、そ性により、非常に強い圧縮、引張りの力に充分に耐えうるものである。
【００１７】１０のボルト軸は４、５、６のまん中にあり、強い１１のサシ金と３のナツトが三角関数学的なことから真横の０°付近でサシ金が貫通するのである。
【００１８】回転式四角ボルトの４つの角と１６が歯車のように回転して、１７のピストン本体が落下するのである。次に第ｎ次回転によりスプリングにより上げ、そして又落下する。
【００１９】１７のピストン本体と１１の四角ボルトは常に平衡姿勢に固定されて折り復数のボルトネジにより固定され、数万個の数で本発明の回転式四角ボルトが作動可能な状態にある。
【００２０】１５のピストンバネは黒色をともない１９〜１７のピストンには潤滑オイルが施され、人の体に事故がある時に警報器がなりこの四角ボルトの非常停止が瞬時に作動する。光センサー機能により作動し、停止するのである。
【００２１】シーケンス制御が行われ、前もって危険を察知し、自然に機能停止命令がなされるのである。１ｍ〜１、５ｍの範囲に人体が触れるとセンサー機が働らくのである。
【００２２】集中警こく板の慣性装置を持続させ労力の少ない安全制御体せいを強化する。安全性、計画性、機動性、簡単性、迅速性において大変すぐれている。
【００２３】さらに本発明回転式四角ボルトは次によることとする。
【００２４】モーターで回わる油圧器の伝達力を２１のベルトで２０の四角ボルトにより、左回転をさせ、１６の突起物のツメと本発明の回転式四角ボルトが歯車のように円滑に回転を始め、負荷価値のクツシヨンプラスチツ
2018151055.tif 000004
事ができるのである。
【００２５】本発明の回転式四角ボルトにより完全に実効をなすものである。
【００２６】これにより、本発明回転式四角ボルトが必要で不可決あり、工業産業界に施いて大事な要因と成りうる。
ピストン連鎖機、モーター、制御機は直線状に配置されているのである。
【００２７】全体が数万以上の部品から成りコンピユーター制御による事は事実で有り、ここに示す通りである。
【００２８】本発明の回転式四角ボルトとピストン本体はステンレス鋼３０４を使用し歯車のかみ合わせは負荷価値である。１８の為の為に四角ボルトを使用。
【００２９】支え板は四角形に円筒形の１７を間に入れた形でピストン本体の１７が円滑にピストン運動が行われ、ピストン運動は、毎分数十〜数百回程度で作動。
【００３０】
2018151055.tif 000005
荷動の重みで生地がくだけてやわらかになる。
又、他の産業界においても同様に使用することができるのである。
【００３１】それに、回転式四角ボルトとピストンの突起物のツメには時計油の様なオイル潤滑油を使用することでよりなめらかな遠心力性回転力がはかられる。
【００３２】
2018151055.tif 000006
要に応じてゴムクシシヨン機能保持する。
スプリング機能を多様化すると衝撃、振動、寄生振動を軽減できるのである。
【００３３】ステンレス鋼はキズに多少なり弱いが酸素と水ににより、さらに強くより良くステンレス鋼素材の機能を有し、その上ダイアモンド並みの強さがあり、とてもじようぶである。
【００３４】さらに、各種部材、部類においては、ステンレスス鋼３０４を使用。
本発明  回転式四角ボルトには必要以上に、このステンレス鋼を使用することで歯車としての素材の発明を提供する。
【００３５】さらに．．．．、本発明は、回転式四角ボルトである。部材１，２によりボルト軸を支え、１３′の軸穴にクギ状のサシ金具で固定これにナツト３で完全に固定することを発明の最大の原点とする。
【００３６】おさえ板１７、１９は１７のピストン位置までほどこす、こうするとピストンの中心位置が少しもズレずに垂直に落下し、物理学的に、機械工学的にも１８クツシヨンプラスチツクに作用し、又反作用として働き続け、物理的な仕事が最大限に実行され、負荷への効果がある。
【００３７】次に、本発明回転式四角ボルトについて述べる１６の突起物
2018151055.tif 000007
と１１の四角ボルトの４つのすみに当たりそれから落下、１８のトレーペ
2018151055.tif 000008
例性があり効果が期待される。
【００３８】あるいは、本発明回転式四角ボルトの素材にＳｉＣ半導体を使用すると、ピストン本体、１６の突起物のツメと四角ボルトの４つのすみとの間に高温度が発生する事がありこの半導体の使用が不可決である。非常に高温度、衝撃や電気エネルギーの切やくになる。
【００３９】２４の抵抗器の変わりにコンデンサから直接アースを取ると数万Ｖの電圧を直接アースを取ることができ、人体の影響がないのである。ろう電、しようげきがない。
【００４０】ボルトのネジの山傾斜は３６°である。強い衝撃、破壊に強くしかも負荷への動供給に効果的である。
ステンレス鋼３０４を使用するので多種多様にできることで効果適面である。
【００４１】１１の四角ボルトの４つのすみは４５°のＳｉｎθカーブたて７５ｍｍ
2018151055.tif 000009
ルト軸φ２０ｍｍである。ボルト軸ナツトφ２１．５ｍｍ  ｌ１８ｍｍである。
【００４２】交流モーターの油圧Ｎ／ｍｍ２  Ａ１×Ｓ１＝Ａ２×Ｓ２  ＰａｓｃａｌＢｌａｔｅ１６２３〜１６６２ピストン面積比例面積比１：１０の力が得られる。ジブの降下速度が早くなりすぎないように戻りの油量を調整する。
【００４３】１１の四角ボルト４すみ角度５７°Ｓｉｎθカーブボルト頭たて９５ｍｍ  横５６ｍｍ  ボルト軸１０５ｍｍ  １３′ボルト軸３３ｍｍクギ状の形をしたサシ金ボルト軸ｌ６５ｍｍ、これは大型の場合である。
ボルト軸２８ｍｍである。
【００４４】
2018151055.tif 000010
金、金具は落下しないようにｋｉｌｏｇｒａｍ−ｆｏｒ  ｅ  １ｋｇ  ｆ＝９．８０６６５Ｎ温度１℃低くなれば強くなるＮｉ／ＺＵ１エポキシ磁石を使用する。
【００４５】本発明回転式四角ボルトにおいて、ステンレス鋼３０４、ＳｉＣ半導体ボルトは、ダイアモンドのかたさが有り、又サビに強い、超低温に耐える。
ステンレス鋼はサビに非常に強く軽量である。
【００４６】モーター油圧Ｎ／ｍｍ  ２  Ｐａｓｃａｌ  Ｂｌａｔｅ１６２７により油圧量を調整する回転式四角ボルトの歯車のかみ合わせは四角ボルトが左回わりピストンの１６の突出部のツメが上下することにより、ピストンが上下し第ｎ次方程式的に自然の法則が成り立ち、円滑なモーターとしての油圧が負荷への工業的材質素材の効果的役割がなされる。
【００４７】消もう品においては、早目々の交換整備が必要不可決である。
軸受け部にはボールベアリング素材を使用、又モーターの加熱に備え冷却ファンを設けるのである。
【００４８】作用する反対方向では左ネジを使用し、ボルトネジの脱ちやくに備える。これについては次に説明する。
【００４９】右回わりに強い遠心力半径ｒには２乗の力（Ｆ）が働き、これによりしだいにボルトネジが脱着、右回転に働くネジには左ネジを使用する。本発明の回転式四角ボルトである。
【００５０】又、１６の突起物、ツメにはＳｉＣ半導体ボルトを使用し、四角ボルトのステンレス鋼３０４とうまくかみ合い左回わりの四角ボルトと上下運動ピストン運動の連鎖反応的に作動する。
【００５１】先に述べた様に本発明回転式四角ボルトは１３′のボルト軸穴の位置はボルトの頭１１から４１ｍｍの位置に１３′の穴があり  又１３′のボルト軸の穴は１１のボルト頭から７０ｍｍの位置にある。これは大型と中型のサイズである。
【００５２】１２、１２′は３ナツトが１１の部方向左へネジを切りながら移動ができ、又１３′の位置にも静止できる。これは１７のピストン本体と合理的に作動する為である。
【００５３】１２′、１２、移動は何らかの不具合により１８に支しようをきたした時に装置のふたを移動するときに、１２、１２′の方向へナツトが移動するのである。
【００５４】常時１３′の位置に３のナツトが固定され、数学関数的Ｓｉｎθ０°の真横に１３′の穴とナツト３の穴が合理的に一致するものである。
【００５５】ボルト軸１３′、１３″は穴を両方使用する場合と１３′だけ必要に応じて使うのである。これは、ピストン本体の負荷による材質が異なる場合に１３′、１３″を片方、あるいは固定板が変化する場合に両方の穴、片方の穴だけにサシ金を挿入するのである。
【００５６】又１３′、１３″の穴に挿入するサシ金、金具  小型ボルト化にし、１０、ボルト軸に、１３′、１３″の穴と３のナツトが幾何学的にＳｉｎθ０°
2018151055.tif 000011
ボルト１０に完全に固定させるもので有る。
Ｓｉｎθ０°と１８０°による角度で途中で止まり静止し、調整固定をするものである。
【００５７】
2018151055.tif 000012
その差約３〜１０ｍｍであり、ボルト１０は、端〜端まで決して貫通する事がないのである。
【００５８】２３、スイツチＯＮ・ＯＦＦ機は半導体数個を使用し、スイツチ回路をを円滑にするものである。スイツチのＯＮ・ＯＦＦによる電源自体のスパーク放電を軽源するものである。
【００５９】２５、交流モーター油圧の制御ピストンの制御、各部の制御装置における論理回路である０と１の世界である。ＡＮＤ、ＯＲ、ＮＯＴ回路によるものである。
油圧バルブには、エアーもれが全くない素材を使用するものである。
【００６０】抵抗器アース＆コンデンサアースを使用する。電気エネルギーによるろう電のさいに長時間の絶縁破かいが無くて済むのである。
これに半導体回路により取り行う。
【００６１】ピストンの棒を支える板は円筒形をして折り、長さ１０２０ｍｍ程の長さで、１７、ピストン木体を１〜２ｍｍの間をへだてた内側に持つものである。上質の時計油を使用して行うのである。
【００６２】１６、回転式四角ボルトとしてはＳｉｎθ４５°〜１８０°による非常にゆるやかな傾斜を持ち、よりいっそうなめらかな回転をするものである。
【００６３】１６、突起物、引かき板は最初に上に上げられ、それから回転式四角ボルト４つのすみの１つすみに当たり、１６の突起物、引かき板が
2018151055.tif 000013
物理的な仕事がなされるのである。
【００６４】１７、ピストン本体は上下に連鎖反応的にモーターが回転する限り次限的上下に垂直に運動をなすものである。
これは決志て斜めに動いたりしないのである。
使用目的により４５°斜めの場合もある。
【００６５】２１、ベルトは、タイミングベルトチエーンによるく動輪への伝達を行い、タイミングベルトは車でいうなら１０万ｋｍに１回の交換が必要で、瞬時の強い力に耐え抜き、より効果的である。
【００６６】本発明の回転式四角ボルトのネジの山は３６°であり、これに強化プラスチツクによる素材でステンレス鋼３０４とはひと味異なったことが有る。軽量化がはかられ腐蝕やサビがないのが特徴である。
【００６７】これに又、ステンレス鋼はキズが付くと酸素や水がないと良くない事があるが、この強化プラスチツク素材でまったく悪い影響は無いのである。
【００６８】本発明である回転式四角ボルトにゲルマニウムメツキ素材を使用すると、高温、超低温いきでの使用が可能となる。
その上、静電気、電気エネルギーによる絶録効果があるのである。
【００６９】油圧発生装置  歯車ポンプはギアケース内で二つの歯車が噛合って回転し、その回転による吸引力で油を吸込口から取込んで吐出口への吐出すものであり、故障が少なく、小型、軽量、安価である。
歯車ポンプは内接式を使用するのである。
【００７０】ベーンポンプはロータに１０数個のすり割を設け、それに対してベーンが直角に取付けられており、ベーンポンプは１回の回転当たりの吐出量が一定の定容量形と口  出量を変えられる可変容量形があり、これを使用する。
【００７１】プランジヤポンプはラジアル形を使用でき、ピストンがシリンダロツクに挿入され、駆動軸の回転によるプランジヤの往復運動に伴い、ポンプ作用が行われるのである。
【００７２】又アキシヤル形には、プランジヤがシリンダロツクの中心線と平行に往復運動をする形式のポンプで斜板はカムの働きをし、斜板がプランジヤに近づいたり遠ざかったりするのである。
固定斜板式、回転斜板式、斜軸式とがある。
【００７３】この油圧駆動装置には、油圧シリンダの複動形を使用できるのである。
油圧モーターには歯車モーター、ベンチモーター、プランジヤモーターがあり、油圧モーターの構造は、油圧ポンプとほとんど同じで、相違点は作動の方法である。作動油の流体エネルギーをトルクに変えることができるのである。
【００７４】シーケンス弁、カウンタバランス弁、アンロード弁などがあり、ここではアンロード弁を使用できるのである。
Ｐ１又はＰ２が圧力降下し、逆止め弁が閉じると共にパイロツトピストンがパイロツトポペツトを押し上げ回路圧力が設定圧力の約８０％まで低下するとパイロツトポペツトが閉じ、ポンプが負荷運転をして油圧が自動的にアキュームレータに送り込まれるのである。
【００７５】作動油タンクには油面計、フイルタ、エアブリーザなどがあり作動油にゴミが入らないように、ラインフイルタを使用することで色々なトラブルをふせげるのである。
【００７６】オイルクーラーにおいて、作動油は油温が５５〜６０℃以上になると粘度が低下し様々な障害を招くので強制的に冷却するのである。
【００７７】配管類はホースの接触による擦れ、ねじれ、変形、傷の有無について注意し、接続部のゆるみや油漏がないかチエツクしなければならないのである。
【００７８】継手には、ねじ継手、フランジヤ管継手、フレア管継手、フレアレス管継手、回転継手があり、ここではロータリージヨイントとくい込み継手を使用できるのである。
【００７９】オイルシール＆シールテープを使用でき、油圧機器の油漏れ、ゴミや水分等  侵入を防止するのである。回転部分やしゆう動部分に用いられて、技術開発をなし得たものである。
【図面の簡単な説明】
【００８０】
【図１】本発明の回転式四角ボルトの実施例を示す図である。
【図２】本発明の回転式四角ボルトを部材にセツトした状態を示す図である。
【図３】本発明の回転式四角ボルトの他の実施例を示す図である。
【図４】本発明の回転式四角ボルトの他の実施例を示す図である。
【図５】本発明の回転式四角ボルトの他の実施例を示す図である。
【図６】本発明の回転式四角ボルトの完成図の実施例である。要所々にスプリングを施して機械の衝撃をやわらげる。
【図７】１９  ピストンの棒を支える板  １７  ピストン本体
【図８】スイツチ回路図
【符号の説明】１、２  部材
３      ナツト
１０    ネジ部
１１    ボルト頭部（四角ボルト）
１２    挟持部
１４    荷重の重り１５ｋｇ（鉄を使用）
１５    スプリング（ステンレス鋼３０４を使用）
１６    回転式四角ボルトの４すみに引掛け板
１７    ピストン本体（ステンレス鋼３０４を使用）
2018151055.tif 000014
１９    ピストンの棒を支え板
２０    四角ボルトに回転力を伝達する歯車（左回転するのは歯車のかみ合わせを良くする為）
２１    ベルト（タイミングベルトを使用）
２２    モーター電動油圧式機
２３    スイツチＯＮ・ＯＦＦ機
２４    抵抗器５７Ω・アース
２５    コンピユーター制御基板装置  論理回路を備えた集中制御装置である。
【図１】
2018151055.tif 000017
【図２】
2018151055.tif 000018
【図３】
2018151055.tif 000019
【図４】
2018151055.tif 000020
【図５】
2018151055.tif 000021
【図６】
2018151055.tif 000022
【図７】
2018151055.tif 000023
【図８】
2018151055.tif 000024